【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】 基材の表面に硬化エネルギーにより硬化する塗布液を塗工し塗膜を形成した後、該塗膜が湿潤状態を維持している段階において、単位面積あたりのエネルギー密度が所定の分布となる硬化エネルギーを該塗膜に与えることにより、該塗膜表面に該分布に対応した凹凸形状を形成した後、該凹凸形状が維持されるように該塗膜全体に硬化エネルギーを与え硬化させることを特徴とする表面形状の形成方法。
【請求項２】 基材の表面に硬化エネルギーにより硬化する塗布液を塗工し塗膜を形成した後、該塗膜が湿潤状態を維持している段階において、該塗膜の特定の領域のみに一定量の硬化エネルギーを与えることにより、該塗膜表面に凹凸形状を形成した後、該凹凸形状が維持されるように該塗膜全体に硬化エネルギーを与え硬化させることを特徴とする表面形状の形成方法。
【請求項３】 前記単位面積あたりのエネルギー密度が所定の分布となる硬化エネルギーを該塗膜に与える硬化手段と、該塗膜全体に硬化エネルギーを与える硬化手段とは、同一の手段であることを特徴とする請求項１または２に記載の表面形状の形成方法。
【請求項４】 前記硬化手段は光硬化手段であることを特徴とする請求項３に記載の表面形状の形成方法。
【請求項５】 前記硬化手段は熱硬化手段であることを特徴とする請求項３に記載の表面形状の形成方法。
【請求項６】 円筒状の基材の表面に凹凸形状の塗膜が形成された無端ベルトの製造方法において、該基材の表面に硬化エネルギーにより硬化する塗布液を塗工し塗膜を形成した後、該塗膜が湿潤状態を維持している段階において、単位面積あたりのエネルギー密度が所定の分布となる硬化エネルギーを該塗膜に与えることにより、該塗膜表面に該分布に対応した凹凸形状を形成した後、該凹凸形状が維持されるように該塗膜全体に硬化エネルギーを与え硬化させることを特徴とする無端ベルトの製造方法。
【請求項７】 円筒状の基材と、該円筒状の基材の表面に硬化エネルギーにより硬化する塗布液を塗工し塗膜を形成した後、該塗膜が湿潤状態を維持している段階において、単位面積あたりのエネルギー密度が所定の分布となる硬化エネルギーを該塗膜に与えることにより、該塗膜表面に該分布に対応した凹凸形状を形成した後、該凹凸形状が維持されるように該塗膜全体に硬化エネルギー与え硬化させることにより形成した凹凸形状の塗膜とにより構成されたことを特徴とする無端ベルト。
【請求項８】  前記凹凸形状は、前記無端ベルトの幅方向に対して一定の周期で形成されていることを特徴とする請求項７に記載の無端ベルト。
【手続補正２】
【補正対象書類名】明細書
【補正対象項目名】００１２
【補正方法】変更
【補正の内容】
【００１２】
前記課題を解決するために本発明においては、基材の表面に硬化エネルギーにより硬化する塗布液を塗工し塗膜を形成した後、該塗膜が湿潤状態を維持している段階において、単位面積あたりのエネルギー密度が所定の分布となる硬化エネルギーを該塗膜に与えることにより、該塗膜表面に該分布に対応した凹凸形状を形成した後、該凹凸形状が維持されるように該塗膜全体に硬化エネルギーを与え硬化させる表面形状の形成方法を提案している。
【手続補正３】
【補正対象書類名】明細書
【補正対象項目名】００１３
【補正方法】変更
【補正の内容】
【００１３】
また本発明は、基材の表面に硬化エネルギーにより硬化する塗布液を塗工し塗膜を形成した後、該塗膜が湿潤状態を維持している段階において、該塗膜の特定の領域のみに一定量の硬化エネルギーを与えることにより、該塗膜表面に凹凸形状を形成した後、該凹凸形状が維持されるように該塗膜全体に硬化エネルギーを与え硬化させる表面形状の形成方法を提案している。
【手続補正４】
【補正対象書類名】明細書
【補正対象項目名】００１４
【補正方法】変更
【補正の内容】
【００１４】
また本発明は、前記単位面積あたりのエネルギー密度が所定の分布となる硬化エネルギーを該塗膜に与える硬化手段と、該塗膜全体に硬化エネルギーを与える硬化手段とは、同一の手段である表面形状の形成方法を提案している。
【手続補正５】
【補正対象書類名】明細書
【補正対象項目名】００１５
【補正方法】変更
【補正の内容】
【００１５】
また本発明は、前記硬化手段は光硬化手段であること表面形状の形成方法を提案している。
【手続補正６】
【補正対象書類名】明細書
【補正対象項目名】００１６
【補正方法】変更
【補正の内容】
【００１６】
また本発明は、前記硬化手段は熱硬化手段であること表面形状の形成方法を提案している。
【手続補正７】
【補正対象書類名】明細書
【補正対象項目名】００１７
【補正方法】変更
【補正の内容】
【００１７】
また本発明は、円筒状の基材の表面に凹凸形状の塗膜が形成された無端ベルトの製造方法において、該基材の表面に硬化エネルギーにより硬化する塗布液を塗工し塗膜を形成した後、該塗膜が湿潤状態を維持している段階において、単位面積あたりのエネルギー密度が所定の分布となる硬化エネルギーを該塗膜に与えることにより、該塗膜表面に該分布に対応した凹凸形状を形成した後、該凹凸形状が維持されるように該塗膜全体に硬化エネルギーを与え硬化させる無端ベルトの製造方法を提案している。
【手続補正８】
【補正対象書類名】明細書
【補正対象項目名】００１８
【補正方法】変更
【補正の内容】
【００１８】
また本発明は、円筒状の基材と、該円筒状の基材の表面に硬化エネルギーにより硬化する塗布液を塗工し塗膜を形成した後、該塗膜が湿潤状態を維持している段階において、単位面積あたりのエネルギー密度が所定の分布となる硬化エネルギーを該塗膜に与えることにより、該塗膜表面に該分布に対応した凹凸形状を形成した後、該凹凸形状が維持されるように該塗膜全体に硬化エネルギー与え硬化させることにより形成した凹凸形状の塗膜とにより構成された無端ベルトを提案している。
【手続補正９】
【補正対象書類名】明細書
【補正対象項目名】００１９
【補正方法】変更
【補正の内容】
【００１９】
また本発明は、前記凹凸形状は、前記無端ベルトの幅方向に対して一定の周期で形成されている無端ベルトを提案している。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】